(57)【特許請求の範囲】
【請求項１】
シートクッションに固定されるロアアームと、シートバックに固定され前記ロアアームに回動可能に支持されたアッパアームと、前記ロアアーム及び前記アッパアームのいずれか一方に設けられたラチェットと、前記アッパアームと前記ロアアームとの間の閉空間に前記ロアアーム及び前記アッパアームのいずれか他方に移動自在にガイド支持されて配設され前記ラチェットと噛合可能なポールとを有するシートリクライニング装置において、前記閉空間は、前記ラチェットを前記ロアアーム及び前記アッパアームのいずれか一方に形成し且つ前記ポールをガイド支持するガイド部を前記ロアアーム及び前記アッパアームのいずれか他方に形成することで画定し、前記ロアアーム及び前記アッパアームのいずれかに前記ガイド部又は前記ラチェットと一体に形成して画定され前記ラチェットの歯及び前記ポールの歯に対して露呈し且つ前記閉空間と連続して設けられた空隙部を有するシートリクライニング装置。
【請求項２】
シートクッションに固定されるロアアームと、シートバックに固定され前記ロアアームに回動可能に支持されたアッパアームと、前記ロアアーム及び前記アッパアームのいずれか一方に設けられたラチェットと、前記アッパアームと前記ロアアームとの間の閉空間に前記ロアアーム及び前記アッパアームのいずれか他方に移動自在にガイド支持されて配設され前記ラチェットと噛合可能なポールとを有するシートリクライニング装置において、前記閉空間は、前記ラチェットを前記ロアアーム及びアッパアームのいずれか一方を軸方向に半抜き形成し且つ前記ポールをガイド支持するガイド部を前記ロアアーム及び前記アッパアームのいずれか他方に軸方向に半抜き形成することで画定され、前記ガイド部と一体に前記ロアアーム及び前記アッパアームのいずれか他方を軸方向に半抜き形成して画定され前記ラチェットの歯及び前記ポールの歯に対して露呈し且つ前記閉空間と連続して設けられた空隙部を有するシートリクライニング装置。
【請求項３】
前記空隙部は、前記ガイド部とは相対する前記ラチェットより径方向外側に位置している、請求項１又は２記載のシートリクライニング装置。
【発明の詳細な説明】
【０００１】
【産業上の利用分野】
本発明は、シートリクライニング装置に関するものである。
【０００２】
【従来の技術】
従来、この種のシートリクライニング装置としては、特開昭５９−３４２１１号公報に示されるものが知られている。これは、シートクツシヨンに固定されるロアアームと、シートバツクに固定されロアアームに回動可能に支持されたアツパアームと、アツパアームに軸方向に半抜き形成されたラチエツトと、ロアアームにラチエツトとは反対方向の軸方向に半抜き形成されたガイド部と、アツパアームの半抜きとロアアームの半抜きとにより画定されるアツパアームとロアアームとの間の閉空間内に配設されアツパアームにガイド部にて移動自在にガイド支持されたラツエツトと噛合可能なポールとを有するものである。この従来装置においては、ポールをラチエツトに対してガイド部に沿つて移動させることにより、ポールとラチエツトとを噛合又は噛合解除させ、これにより、アツパアームをロアアームに対して回動規制又は回動許容させていた。
【０００３】
【発明が解決しようとする課題】
上記した従来装置では、アツパアームをロアアームに対してラチエツトの歯が外部に露出する程度に回動させると、ラチエツトの歯に埃や砂等の異物が付着する場合がある。この場合、ポールは、アツパアームとロアアームとの間の閉空間に配設されているため、ポールとラチエツトとを噛合させた際にラチエツトに付着した異物が排除されることがなく、結果、この異物によりポールとラチエツトの噛合に悪影響を及ぼす恐れがあつた。
【０００４】
故に、本発明は、ラチエツトに付着した異物を閉空間内で排除できるようにすることを、その技術的課題とするものである。
【０００５】
【課題を解決するための手段】
上記技術的課題を解決するために本発明において講じた第１の技術的手段は、閉空間は、ラチェットをロアアーム及びアッパアームのいずれか一方に形成し且つポールをガイド支持するガイド部を前記ロアアーム及び前記アッパアームのいずれか他方に形成することで画定し、前記ロアアーム及び前記アッパアームのいずれかに前記ガイド部又は前記ラチェットと一体に形成して画定され前記ラチェットの歯及び前記ポールの歯に対して露呈し且つ前記閉空間と連続して設けられた空隙部を有した、ことである。
【０００６】
上記技術的課題を解決するために本発明において講じた第２の技術的手段は、閉空間は、ラチェットをロアアーム及びアッパアームのいずれか一方を軸方向に半抜き形成し且つポールをガイド支持するガイド部を前記ロアアーム及び前記アッパアームのいずれか他方に軸方向に半抜き形成することで画定され、前記ガイド部と一体に前記ロアアーム及び前記アッパアームのいずれか他方を軸方向に半抜き形成して画定され前記ラチェットの歯及び前記ポールの歯に対して露呈し且つ前記閉空間と連続して設けられた空隙部を有した、ことである。
【０００７】
より好ましくは、前記空隙部は、前記ガイド部とは相対する前記ラチエツトより径方向外側に位置している、と良い。
【０００８】
【作用】
上記第１及び第２の技術的手段によれば、ラチェットの歯に付着した異物は、ラチェットとポールとが噛合する際に閉空間内でラチェットの歯から空隙部へとはじき出される。これにより、ラチェットの歯に付着した異物がラチェットの歯から排除され得る。
【０００９】
【実施例】
以下、本発明の一実施例を添付図面に基づいて説明する。
【００１０】
図１及び図２に示されるように、シートクツシヨン（図示せず）の一側に固定されるロアアーム１には、シートバツク（図示せず）の一側に固定されたアツパアーム２がロアアーム１に形成された円弧状凸部３１とアツパアーム２に形成された円弧状凹部３２との嵌合による軸受機構３を介して回動自在に支持されている。ロアアーム１にはアツパアーム２を貫通する回転軸４が回転自在に支持されている。アツパアーム２のロアアーム１と接する内面には、ラチエツト２１及び回転軸支承部分２２が軸方向に半抜き形成されており、ロアアーム１のアツパアーム２と接する内面には、ガイド部１１及び回転軸支承部１２がラチエツト２１及び回転軸支承部分２２とは反対の軸方向に半抜き形成されている。このロアアーム１及びアツパアーム２の半抜き形成によりロアアーム１とアツパアーム２との間に閉空間５が画定されている。尚、回転軸４は閉空間５を横断してロアアーム１の回転軸支承部分１２に回転自在に支持され且つアツパアーム２の回転軸支承部分２２を貫通しており、軸受機構３の円弧状凹部３２は、閉空間５と連続している。又、ロアアーム１とアツパアーム２とは、回転軸４に形成されたツバ部４１と回転軸４に取り付けられたワツシヤ４２とにより軸方向に規制され回転軸４に対して抜け止めされている。
【００１１】
閉空間５内にはカム部材４３及びポール１３が配設されている。カム部材４３は、回転軸４と一体回転するように回転軸４に固着されている。ポール１３は、ガイド部１１によりロアアーム１に移動自在にガイド支持されており、ラチエツト２１の歯２１ａ及びポール１３の歯１３ａでラチエツト１１と噛合可能となつている。カム部材４３は、その回転動作によりロアアーム１に設けられたカム面１ａ及びポール１３に設けられたカム面１３ｂと摺接するものであつて、このカム部材４３とカム面１３ｂとの摺接により、ポール１３の移動（ポール１３とラチエツト２１との噛合）を制御する。尚、カム部材４３とカム面１ａとの摺接は、ポール１３とラチエツト２１との噛合時においてカム部材４３とポール１３のカム面１３ｂとの摺接及びポール１３とラチエツト２１との噛合を介してアツパアーム２をロアアーム１に対して図２示下方向に押し下げることで軸受機構３の円弧状凸部３１を軸受機構３の円弧状凹部３２の壁面に押付け、これにより、軸受機構３のガタ殺しを制御する。
【００１２】
回転軸４には操作レバー４４が回転軸４と一体回転するように固着されている。この操作レバー４４は、閉空間５外のロアアーム１のアツパアーム１と接する内面とは反対側の外面側に配置されており、ポール１３の移動方向に屈曲され且つ操作レバー４４の回転方向に延びるカム長穴４４ａが形成されている。このカム長穴４４ａにはポール１３に設けられたピン１３ｃが挿通されており、このカム長穴４４とピン１３ｃとによりポール１３の移動（ポール１３とラチエツト２１との噛合）を制御する。尚、ポール１３のピン１３ｃは、ロアアーム１に形成されたポール１３の移動方向に延在する長穴１ｂを挿通して閉空間５外に延在している。
【００１３】
尚、回転軸４のロアアーム１側先端回りには、アツパアーム２のロアアーム１に対する一方向の回動を付勢するスパイラルスプリング（図示せず）及び操作レバー４４の回動操作に抗するコイルスプリング（図示せず）が配設されている。
【００１４】
又、回転軸４のアツパアーム２側先端には、シートバツクの他側に固定されたアツパアーム（図示せず）のシートクツシヨンの他側に固定されたロアアーム（図示せず）に対する回動を制御する回転軸（図示せず）に取り付けられ、シートバツクのシートクツシヨンに対する一側及び他側での回動の制御を同期化されるための連動シヤフト（図示せず）が取り付けられるスプライン４５が形成されている。
【００１５】
上記した構成において、常時は、ポール１３とラチエツト２１との噛合によりアツパアーム２のロアアーム１に対する回動が規制されてシートバツクがシートクツシヨンに対して所定の傾斜角で保持されている。この状態において、操作レバー４４を一方向に操作すると、カム部材４３が図１示時計方向に回動してカム部材４３とポール１３のカム面１３ｂとの摺接が解除されると共に操作レバー４４のカム長穴４４ａの作用でポール１３が図１示径方向において回転軸４に近づくようにガイド部１１に沿つて移動させられる。これにより、ラチエツト２１とポール１３との噛合が解除され、アツパアーム２のロアアーム１に対する回動が許容される。この状態で、シートバツクをシートクツシヨンに対して回動させることでシートバツクのシートクツシヨンに対する傾斜角を所望の角度に調整し得る。そして、操作レバー４４の操作を解除すると、前述とは逆にカム部材４３とポール１３のカム面１３ｂとが摺接して図１示径方向において回転軸４から遠ざかるようにポール１３が移動し、再びポール１３とラチエツト２１とが噛合する。これにより、アツパアーム２のロアアーム１に対する回動が規制されてシートバツクがシートクツシヨンに対して所望の傾斜角で保持される。
【００１６】
図１及び図２に示されるように、アツパアーム２とロアアーム１との間にはポール１３の歯１３ａ及びラチエツト２１の歯２１ａと近接して且つ閉空間５と連続して空隙部６が設けられている。この空隙部６は、ロアアーム１をラチエツト２１及び回転軸支承部分２２とは反対の軸方向（ガイド部１１及び回転軸支承部分１２と同じ軸方向）にガイド部１１と一体に半抜き形成されて画定されている。又、空隙部６は、ガイド１１と相対するラチエツト２１より径方向外側に位置しており、ラチエツト２１の歯２１ａ及びポール１３の歯１３ａに対して露呈している。
【００１７】
アツパアーム２がロアアーム１に対して大きく回動させられ、ラチエツト２１が外部に露出した場合、ラチエツト２１の歯２１ａに埃や砂等の異物が付着することがある。この際、ラチエツト２１の歯２１ａに付着した異物は、ラチエツト２１とポール１３との噛合によりラチエツト２１の歯２１ａから空隙部６へとはじき出され、空隙部６に溜められる。これにより、ラチエツト２１の歯２１ａから異物を排除し、ポール１３とラチエツト２１との確実な噛合が確保される。
【００１８】
【発明の効果】
本発明によれば、アッパアームとロアアームとの間にラチェットの歯及びポールの歯に対して露呈し且つ閉空間と連続する空隙部を一体に形成したので、ポールとラチェットとの噛合を利用してラチェットの歯に付着した埃や砂等の異物を閉空間内でラチェットの歯から排除することができる。これにより、ポールとラチェットとの確実な噛合を確保することができる。又、空隙部は、ポールをガイド支持するガイド部と一体に半抜き形成されるので、製作工数が増大することもなく容易に加工することができる。更に、空隙部は、ガイド部と相対するラチエツトより径方向外側に位置しているので、ラチェットの歯からはじき出された異物をガイド部に侵入させることなく確実に空隙部に溜めることができる。又、空隙部に溜められた異物がガイド部に侵入することも防止することができる。
【図面の簡単な説明】
【図１】本発明に係るシートリクライニング装置の平面図である。
【図２】図１のＡ−Ａ線断面図である。
【符号の説明】
１  ロアアーム
２  アツパアーム
５  閉空間
６  空隙部
１１  ガイド部
１３  ポール
２１  ラチエツト
１３ａ  ポールの歯
２１ａ  ラチエツトの歯
【図１】
0003588846.tif 000002
【図２】
0003588846.tif 000003